【手続補正書】
【提出日】平成18年5月24日(2006.5.24)
【手続補正１】
【補正対象書類名】明細書
【補正対象項目名】発明の名称
【補正方法】変更
【補正の内容】
【発明の名称】画像読取送信装置及び方法、並びにプログラム及び記憶媒体
【手続補正２】
【補正対象書類名】明細書
【補正対象項目名】特許請求の範囲
【補正方法】変更
【補正の内容】
【特許請求の範囲】
【請求項１】  画像データに対して、指定された方式の画像変換を行い、指定された送信宛先に送信する画像データ送信装置において、
画像データをページごとに、異なる方式の画像変換をそれぞれ行い、変換後の各画像データを記憶装置に格納する第１の格納手段と、
前記第１の格納手段によって前記記憶装置に格納された変換後画像データに対応づけて、変換前の画像データの識別情報、ページ識別情報、及び画像変換方式の識別情報を前記記憶装置に格納する第２の格納手段と、
少なくとも、送信対象である画像データの変換前の識別情報、ページ識別情報、画像変換方式の識別情報、及び送信宛先を指定して入力された画像データ送信要求を受け付ける受付手段と、
前記記憶装置を参照して、前記受付手段によって受け付けられた画像データ送信要求において指定された前記３つの識別情報とそれぞれ一致する各識別情報を対応付けられて格納された変換後画像データを検出する検出手段と、
前記検出手段によって検出された変換後画像データを前記記憶装置から読み出して、前記受付手段によって受け付けられた画像データ送信要求において指定された送信宛先に対して送信する送信手段と
を有することを特徴とする画像データ送信装置。
【請求項２】 前記検出手段は、前記受付手段によって受け付けられた画像データ送信要求において指定されたページ識別情報が、前記記憶装置に格納されているページ位置情報のうち、対応の変換後画像データの前ページまでのページ位置情報と一致することを判定することを特徴とする請求項１に記載の画像データ送信装置。
【請求項３】 前記受付手段が受け付ける画像データ送信要求に、前記送信対象である画像データの変換後画像データを送信宛先に送信することが許容される回数である参照予定数が含まれ、
前記送信手段によって前記変換後画像データが前記記憶装置から読み出され送信されるたびに前記参照予定数を減少させる減少手段と、
前記参照予定数が０になったとき、前記記憶装置に格納されている前記変換後画像データ、該変換後画像データに対応する変換前の画像データの識別情報、ページ識別情報、及び画像変換方式の識別情報を削除する削除手段と
を更に有することを特徴とする請求項１に記載の画像データ送信装置。
【請求項４】 前記検出手段によって前記変換後画像データが検出できない場合、前記受付手段によって受け付けられた画像データ送信要求において指定された前記３つの識別情報に基づき、該指定された送信対象の画像データに対して前記第１及び第２の格納手段を動作させるとともに、得られた変換後画像データを前記画像データ送信要求において指定された送信宛先に対して送信する送信制御手段を、更に有することを特徴とする請求項１に記載の画像データ送信装置。
【請求項５】 画像データをページごとに、異なる方式の画像変換をそれぞれ行い、変換後の各画像データを記憶装置に格納する第１の格納ステップと、
前記第１の格納ステップによって前記記憶装置に格納された変換後画像データに対応づけて、変換前の画像データの識別情報、ページ識別情報、及び画像変換方式の識別情報を前記記憶装置に格納する第２の格納ステップと、
少なくとも、送信対象である画像データの変換前の識別情報、ページ識別情報、画像変換方式の識別情報、及び送信宛先を指定して入力された画像データ送信要求を受け付ける受付ステップと、
前記記憶装置を参照して、前記受付ステップによって受け付けられた画像データ送信要求において指定された前記３つの識別情報とそれぞれ一致する各識別情報を対応付けられて格納された変換後画像データを検出する検出ステップと、
前記検出ステップによって検出された変換後画像データを前記記憶装置から読み出して、前記受付ステップによって受け付けられた画像データ送信要求において指定された送信宛先に対して送信する送信ステップと
を有することを特徴とする画像データ送信方法。
【請求項６】 前記検出ステップは、前記受付ステップによって受け付けられた画像データ送信要求において指定されたページ識別情報が、前記記憶装置に格納されているページ位置情報のうち、対応の変換後画像データの前ページまでのページ位置情報と一致することを判定することを特徴とする請求項５に記載の画像データ送信方法。
【請求項７】 前記受付ステップが受け付ける画像データ送信要求に、前記送信対象である画像データの変換後画像データを送信宛先に送信することが許容される回数である参照予定数が含まれ、
前記送信ステップによって前記変換後画像データが前記記憶装置から読み出され送信されるたびに前記参照予定数を減少させる減少ステップと、
前記参照予定数が０になったとき、前記記憶装置に格納されている前記変換後画像データ、該変換後画像データに対応する変換前の画像データの識別情報、ページ識別情報、及び画像変換方式の識別情報を削除する削除ステップと
を更に有することを特徴とする請求項５に記載の画像データ送信方法。
【請求項８】 前記検出ステップによって前記変換後画像データが検出できない場合、前記受付ステップによって受け付けられた画像データ送信要求において指定された前記３つの識別情報に基づき、該指定された送信対象の画像データに対して前記第１及び第２の格納ステップを実行させるとともに、得られた変換後画像データを前記画像データ送信要求において指定された送信宛先に対して送信する送信制御ステップを、更に有することを特徴とする請求項５に記載の画像データ送信方法。
【請求項９】 画像データをページごとに、異なる方式の画像変換をそれぞれ行い、変換後の各画像データを記憶装置に格納する第１の格納ステップと、
前記第１の格納ステップによって前記記憶装置に格納された変換後画像データに対応づけて、変換前の画像データの識別情報、ページ識別情報、及び画像変換方式の識別情報を前記記憶装置に格納する第２の格納ステップと、
少なくとも、送信対象である画像データの変換前の識別情報、ページ識別情報、画像変換方式の識別情報、及び送信宛先を指定して入力された画像データ送信要求を受け付ける受付ステップと、
前記記憶装置を参照して、前記受付ステップによって受け付けられた画像データ送信要求において指定された前記３つの識別情報とそれぞれ一致する各識別情報を対応付けられて格納された変換後画像データを検出する検出ステップと、
前記検出ステップによって検出された変換後画像データを前記記憶装置から読み出して、前記受付ステップによって受け付けられた画像データ送信要求において指定された送信宛先に対して送信する送信ステップと
を有する画像データ送信方法を、コンピュータに実行させるためのプログラム。
【請求項１０】 前記検出ステップは、前記受付ステップによって受け付けられた画像データ送信要求において指定されたページ識別情報が、前記記憶装置に格納されているページ位置情報のうち、対応の変換後画像データの前ページまでのページ位置情報と一致することを判定することを特徴とする請求項９に記載のプログラム。
【請求項１１】 前記受付ステップが受け付ける画像データ送信要求に、前記送信対象である画像データの変換後画像データを送信宛先に送信することが許容される回数である参照予定数が含まれ、前記画像データ送信方法が更に、
前記送信ステップによって前記変換後画像データが前記記憶装置から読み出され送信されるたびに前記参照予定数を減少させる減少ステップと、
前記参照予定数が０になったとき、前記記憶装置に格納されている前記変換後画像データ、該変換後画像データに対応する変換前の画像データの識別情報、ページ識別情報、及び画像変換方式の識別情報を削除する削除ステップと
を有することを特徴とする請求項９に記載のプログラム。
【請求項１２】 前記画像データ送信方法が更に、前記検出ステップによって前記変換後画像データが検出できない場合、前記受付ステップによって受け付けられた画像データ送信要求において指定された前記３つの識別情報に基づき、該指定された送信対象の画像データに対して前記第１及び第２の格納ステップを実行させるとともに、得られた変換後画像データを前記画像データ送信要求において指定された送信宛先に対して送信する送信制御ステップを有することを特徴とする請求項９に記載のプログラム。
【請求項１３】 画像データをページごとに、異なる方式の画像変換をそれぞれ行い、変換後の各画像データを記憶装置に格納する第１の格納ステップと、
前記第１の格納ステップによって前記記憶装置に格納された変換後画像データに対応づけて、変換前の画像データの識別情報、ページ識別情報、及び画像変換方式の識別情報を前記記憶装置に格納する第２の格納ステップと、
少なくとも、送信対象である画像データの変換前の識別情報、ページ識別情報、画像変換方式の識別情報、及び送信宛先を指定して入力された画像データ送信要求を受け付ける受付ステップと、
前記記憶装置を参照して、前記受付ステップによって受け付けられた画像データ送信要求において指定された前記３つの識別情報とそれぞれ一致する各識別情報を対応付けられて格納された変換後画像データを検出する検出ステップと、
前記検出ステップによって検出された変換後画像データを前記記憶装置から読み出して、前記受付ステップによって受け付けられた画像データ送信要求において指定された送信宛先に対して送信する送信ステップと
を有する画像データ送信方法をプログラムとして記憶した、コンピュータにより読み出し可能な記憶媒体。
【請求項１４】 前記検出ステップは、前記受付ステップによって受け付けられた画像データ送信要求において指定されたページ識別情報が、前記記憶装置に格納されているページ位置情報のうち、対応の変換後画像データの前ページまでのページ位置情報と一致することを判定することを特徴とする請求項１３に記載の記憶媒体。
【請求項１５】 前記受付ステップが受け付ける画像データ送信要求に、前記送信対象である画像データの変換後画像データを送信宛先に送信することが許容される回数である参照予定数が含まれ、前記画像データ送信方法が更に、
前記送信ステップによって前記変換後画像データが前記記憶装置から読み出され送信されるたびに前記参照予定数を減少させる減少ステップと、
前記参照予定数が０になったとき、前記記憶装置に格納されている前記変換後画像データ、該変換後画像データに対応する変換前の画像データの識別情報、ページ識別情報、及び画像変換方式の識別情報を削除する削除ステップと
を有することを特徴とする請求項１３に記載の記憶媒体。
【手続補正３】
【補正対象書類名】明細書
【補正対象項目名】０００１
【補正方法】変更
【補正の内容】
【０００１】
【発明の属する技術分野】
本発明は、画像データ送信装置及び方法、並びにプログラム及び記憶媒体に関し、特に、画像データに対して、指定された方式の画像変換を行い、指定された送信宛先に送信する画像データ送信装置及び方法、並びにプログラム及び記憶媒体に関する。
【手続補正４】
【補正対象書類名】明細書
【補正対象項目名】０００９
【補正方法】変更
【補正の内容】
【０００９】
本発明はこのような問題点に鑑みてなされたものであって、読み取った画像データを迅速に表示確認できるようにした画像読取送信装置及び画像確認用データ生成方法、並びにプログラム及び記憶媒体を提供することを目的とする。
【手続補正５】
【補正対象書類名】明細書
【補正対象項目名】００１０
【補正方法】変更
【補正の内容】
【００１０】
【課題を解決するための手段】
上記目的を達成するために、本発明によれば、画像データに対して、指定された方式の画像変換を行い、指定された送信宛先に送信する画像データ送信装置において、画像データをページごとに、異なる方式の画像変換をそれぞれ行い、変換後の各画像データを記憶装置に格納する第１の格納手段と、前記第１の格納手段によって前記記憶装置に格納された変換後画像データに対応づけて、変換前の画像データの識別情報、ページ識別情報、及び画像変換方式の識別情報を前記記憶装置に格納する第２の格納手段と、少なくとも、送信対象である画像データの変換前の識別情報、ページ識別情報、画像変換方式の識別情報、及び送信宛先を指定して入力された画像データ送信要求を受け付ける受付手段と、前記記憶装置を参照して、前記受付手段によって受け付けられた画像データ送信要求において指定された前記３つの識別情報とそれぞれ一致する各識別情報を対応付けられて格納された変換後画像データを検出する検出手段と、前記検出手段によって検出された変換後画像データを前記記憶装置から読み出して、前記受付手段によって受け付けられた画像データ送信要求において指定された送信宛先に対して送信する送信手段とを有することを特徴とする画像データ送信装置が提供される。
また、本発明によれば、画像データをページごとに、異なる方式の画像変換をそれぞれ行い、変換後の各画像データを記憶装置に格納する第１の格納ステップと、前記第１の格納ステップによって前記記憶装置に格納された変換後画像データに対応づけて、変換前の画像データの識別情報、ページ識別情報、及び画像変換方式の識別情報を前記記憶装置に格納する第２の格納ステップと、少なくとも、送信対象である画像データの変換前の識別情報、ページ識別情報、画像変換方式の識別情報、及び送信宛先を指定して入力された画像データ送信要求を受け付ける受付ステップと、前記記憶装置を参照して、前記受付ステップによって受け付けられた画像データ送信要求において指定された前記３つの識別情報とそれぞれ一致する各識別情報を対応付けられて格納された変換後画像データを検出する検出ステップと、前記検出ステップによって検出された変換後画像データを前記記憶装置から読み出して、前記受付ステップによって受け付けられた画像データ送信要求において指定された送信宛先に対して送信する送信ステップとを有することを特徴とする画像データ送信方法が提供される。
また、本発明によれば、画像データをページごとに、異なる方式の画像変換をそれぞれ行い、変換後の各画像データを記憶装置に格納する第１の格納ステップと、前記第１の格納ステップによって前記記憶装置に格納された変換後画像データに対応づけて、変換前の画像データの識別情報、ページ識別情報、及び画像変換方式の識別情報を前記記憶装置に格納する第２の格納ステップと、少なくとも、送信対象である画像データの変換前の識別情報、ページ識別情報、画像変換方式の識別情報、及び送信宛先を指定して入力された画像データ送信要求を受け付ける受付ステップと、前記記憶装置を参照して、前記受付ステップによって受け付けられた画像データ送信要求において指定された前記３つの識別情報とそれぞれ一致する各識別情報を対応付けられて格納された変換後画像データを検出する検出ステップと、前記検出ステップによって検出された変換後画像データを前記記憶装置から読み出して、前記受付ステップによって受け付けられた画像データ送信要求において指定された送信宛先に対して送信する送信ステップとを有する画像データ送信方法を、コンピュータに実行させるためのプログラムが提供される。
また、本発明によれば、画像データをページごとに、異なる方式の画像変換をそれぞれ行い、変換後の各画像データを記憶装置に格納する第１の格納ステップと、前記第１の格納ステップによって前記記憶装置に格納された変換後画像データに対応づけて、変換前の画像データの識別情報、ページ識別情報、及び画像変換方式の識別情報を前記記憶装置に格納する第２の格納ステップと、少なくとも、送信対象である画像データの変換前の識別情報、ページ識別情報、画像変換方式の識別情報、及び送信宛先を指定して入力された画像データ送信要求を受け付ける受付ステップと、前記記憶装置を参照して、前記受付ステップによって受け付けられた画像データ送信要求において指定された前記３つの識別情報とそれぞれ一致する各識別情報を対応付けられて格納された変換後画像データを検出する検出ステップと、前記検出ステップによって検出された変換後画像データを前記記憶装置から読み出して、前記受付ステップによって受け付けられた画像データ送信要求において指定された送信宛先に対して送信する送信ステップとを有する画像データ送信方法をプログラムとして記憶した、コンピュータにより読み出し可能な記憶媒体が提供される。
【手続補正６】
【補正対象書類名】明細書
【補正対象項目名】００５８
【補正方法】削除
【補正の内容】
【手続補正７】
【補正対象書類名】明細書
【補正対象項目名】００５９
【補正方法】削除
【補正の内容】
【手続補正８】
【補正対象書類名】明細書
【補正対象項目名】００６０
【補正方法】削除
【補正の内容】
【手続補正９】
【補正対象書類名】明細書
【補正対象項目名】００６１
【補正方法】削除
【補正の内容】
【手続補正１０】
【補正対象書類名】明細書
【補正対象項目名】００６２
【補正方法】削除
【補正の内容】
【手続補正１１】
【補正対象書類名】明細書
【補正対象項目名】００６３
【補正方法】削除
【補正の内容】
【手続補正１２】
【補正対象書類名】明細書
【補正対象項目名】００６４
【補正方法】削除
【補正の内容】
【手続補正１３】
【補正対象書類名】明細書
【補正対象項目名】００６５
【補正方法】削除
【補正の内容】
【手続補正１４】
【補正対象書類名】明細書
【補正対象項目名】００６６
【補正方法】削除
【補正の内容】
【手続補正１５】
【補正対象書類名】明細書
【補正対象項目名】００６７
【補正方法】削除
【補正の内容】
【手続補正１６】
【補正対象書類名】明細書
【補正対象項目名】００６８
【補正方法】削除
【補正の内容】
【手続補正１７】
【補正対象書類名】明細書
【補正対象項目名】００６９
【補正方法】削除
【補正の内容】
【手続補正１８】
【補正対象書類名】明細書
【補正対象項目名】００７０
【補正方法】削除
【補正の内容】
【手続補正１９】
【補正対象書類名】明細書
【補正対象項目名】００７１
【補正方法】削除
【補正の内容】
【手続補正２０】
【補正対象書類名】明細書
【補正対象項目名】００７２
【補正方法】削除
【補正の内容】
【手続補正２１】
【補正対象書類名】明細書
【補正対象項目名】００７３
【補正方法】削除
【補正の内容】
【手続補正２２】
【補正対象書類名】明細書
【補正対象項目名】００７４
【補正方法】削除
【補正の内容】